【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
通過位置と通過日時とを含む走行情報の収集の開始位置と終了位置とが着目移動体において指定された場合に、前記開始位置から前記終了位置までの第１移動ルートを前記着目移動体が走行した際に収集された走行情報に基づいて、第１走行履歴情報を生成する第１履歴生成手段と；
前記開始位置から前記終了位置までの前記第１移動ルートとは異なる少なくとも１つの第２移動ルートを、前記着目移動体の前記第１移動ルートの走行と並行して走行した際の走行情報の収集対象となる前記着目移動体とは異なる他移動体を選定する選定手段と；
前記他移動体の前記第２移動ルートに沿った走行に際して収集された走行情報に基づいて、第２走行履歴情報を生成する第２履歴生成手段と；
前記第１及び第２走行履歴情報のそれぞれから導かれる前記開始位置から前記終了位置に至るまでの所要時間情報、距離情報及び燃費情報の少なくとも１つを含む第１及び第２走行結果情報の比較を行う比較手段と；
を備えることを特徴とする情報収集装置。
【請求項２】
前記選定手段は、前記着目移動体が前記開始位置付近にいる時に、前記着目移動体からの距離が第１所定距離以内であり、前記第２移動ルートを走行する可能性がある少なくとも１つの移動体を初期他移動体として選定する、ことを特徴とする請求項１に記載の情報収集装置。
【請求項３】
前記選定手段は、選定されている他移動体が前記第２移動ルートから離脱した場合には、離脱地点における前記選定されている他移動体からの距離が第２所定距離以内であり、前記第２移動ルートを走行する可能性がある少なくとも１つの移動体を新たな他移動体として選定する、ことを特徴とする請求項１又は２に記載の情報収集装置。
【請求項４】
前記第１及び第２移動ルートのうちの少なくとも１つの移動ルートは、交通渋滞が発生している渋滞ルートである、ことを特徴とする請求項１〜３のいずれか一項に記載の情報収集装置。
【請求項５】
前記着目移動体とともに走行する第１移動端末装置と；
前記他移動体とともに走行する第２移動端末装置と；
前記第１及び第２移動端末装置と通信可能なサーバ装置と；を備え、
前記第１移動端末装置は、
前記開始位置及び前記終了位置が指定された場合に、指定結果を前記サーバ装置に通知する収集区間通知手段と；
前記着目移動体に関する前記走行情報を検出する第１検出手段と；
前記第１検出手段による検出結果を、前記サーバ装置に報告する第１報告手段と；を備え、
前記第２移動端末装置は、
前記他移動体に関する前記走行情報を検出する第２検出手段と；
前記第２検出手段による検出結果を、前記サーバ装置に報告する第２報告手段と；を備え、
前記サーバ装置は、前記第１履歴生成手段、前記選定手段、前記第２履歴生成手段及び前記比較手段を備え、
前記第１履歴生成手段は、前記第１移動端末装置から報告された前記第１検出手段による検出結果に基づいて、前記第１走行履歴情報を生成し、
前記第２履歴生成手段は、前記第２移動端末装置から報告された前記第２検出手段による検出結果に基づいて、前記第２走行履歴情報を生成する、
ことを特徴とする請求項１〜４のいずれか一項に記載の情報収集装置。
【請求項６】
前記サーバ装置は、前記比較手段による比較結果に基づいて、ナビゲーション処理に利用される移動ルート情報を更新する更新手段を更に備える、ことを特徴とする請求項５に記載の情報収集装置。
【請求項７】
前記ナビゲーション処理には、目的地までの最適移動ルートを探索する処理が含まれる、ことを特徴とする請求項６に記載の情報収集装置。
【請求項８】
前記サーバ装置は、前記第１及び第２走行結果情報を前記第１移動端末装置に通知する走行結果通知手段を更に備え、
前記第１移動端末装置は、前記第１及び第２走行結果情報を提示する提示手段を更に備える、
ことを特徴とする請求項５〜７のいずれか一項に記載の情報収集装置。
【請求項９】
前記サーバ装置は、前記第１及び第２移動ルートを探索するルート探索手段を更に備える、ことを特徴とする請求項５〜８のいずれか一項に記載の情報収集装置。
【請求項１０】
前記第１移動端末装置は、
前記第１及び第２移動ルートを探索するルート探索手段と；
前記ルート探索手段による探索結果を前記サーバ装置に通知するルート通知手段と；
を更に備える、ことを特徴とする請求項５〜８のいずれか一項に記載の情報収集装置。
【請求項１１】
前記着目移動体とともに走行する第１移動端末装置と；
前記他移動体とともに走行する第２移動端末装置と；
前記第１及び第２移動端末装置と通信可能なサーバ装置と；を備え、
前記第１移動端末装置は、前記第１履歴生成手段、前記第２履歴生成手段及び前記比較手段に加えて、
前記開始位置及び前記終了位置が指定された場合に、指定結果を前記サーバ装置に通知する収集区間通知手段と；
前記着目移動体に関する前記走行情報を検出する第１検出手段と；を更に備え、
前記第２移動端末装置は、
前記他移動体に関する前記走行情報を検出する第２検出手段と；
前記第２検出手段による検出結果を前記サーバ装置に報告する報告手段と；を更に備え、
前記サーバ装置は、前記選定手段に加えて、前記第２検出手段による検出結果を、前記第１移動端末装置に転送する転送手段を更に備え、
前記第１履歴生成手段は、前記第１検出手段による検出結果に基づいて、前記第１走行履歴情報を生成し、
前記第２履歴生成手段は、前記サーバ装置から転送された前記第２検出手段による検出結果に基づいて、前記第２走行履歴情報を生成する、
ことを特徴とする請求項１〜４のいずれか一項に記載の情報収集装置。
【請求項１２】
前記第１移動端末装置は、前記比較手段による比較結果に基づいて、ナビゲーション処理に利用される移動ルート情報を更新する更新手段を更に備える、ことを特徴とする請求項１１に記載の情報収集装置。
【請求項１３】
前記ナビゲーション処理には、目的地までの最適移動ルートを探索する処理が含まれる、ことを特徴とする請求項１２に記載の情報収集装置。
【請求項１４】
前記第１移動端末装置は、前記第１及び第２走行結果情報を提示する提示手段を更に備える、ことを特徴とする請求項１１〜１３のいずれか一項に記載の情報収集装置。
【請求項１５】
前記サーバ装置は、前記第１及び第２移動ルートを探索するルート探索手段を更に備える、ことを特徴とする請求項１１〜１４のいずれか一項に記載の情報収集装置。
【請求項１６】
前記第１移動端末装置は、
前記第１及び第２移動ルートを探索するルート探索手段と；
前記ルート探索手段による探索結果を前記サーバ装置に通知するルート通知手段と；
を更に備える、ことを特徴とする請求項１１〜１４のいずれか一項に記載の情報収集装置。
【請求項１７】
通過位置と通過日時とを含む走行情報の収集の開始位置と終了位置とが着目移動体において指定された場合に、前記開始位置から前記終了位置までの第１移動ルートとは異なる少なくとも１つの第２移動ルートを、前記着目移動体の前記第１移動ルートの走行と並行して走行した際の走行情報の収集対象となる前記着目移動体とは異なる他移動体を選定する選定工程と；
前記開始位置から前記終了位置までの前記第１移動ルートを前記着目移動体が走行した際に収集された走行情報に基づいて、第１走行履歴情報を生成する第１履歴生成工程と；
前記選定工程において選定された他移動体の前記第２移動ルートに沿った走行に際して収集された走行情報に基づいて、第２走行履歴情報を生成する第２履歴生成工程と；
前記第１及び第２走行履歴情報のそれぞれから導かれる前記開始位置から前記終了位置に至るまでの所要時間情報、距離情報及び燃費情報の少なくとも１つを含む第１及び第２走行結果情報の比較を行う比較工程と；
を備えることを特徴とする情報収集方法。